【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有し、上記プッシュロッドは、操作者からのカード排出のための前方への押込力を受ける第一ロッドと、該第一ロッドからの押込力を排出レバー機構へ伝達する第二ロッドとを備え、該第一ロッドと第二ロッドがカード排出時に連係するカード排出装置において、フレームの案内面、第一ロッド、第二ロッドは板状に形成されており、フレームは案内面に略平行なガイド板を有し、第一ロッド、第二ロッドはそれぞれの板面がガイド板と略平行に配設されており、第二ロッドに対向する第一ロッドの前部には、ガイド板に形成されたガイド部に係合するカム手段が設けられており、カード排出時に第一ロッドと第二ロッドがカム手段を介して連係していることを特徴とするカード排出装置。
【請求項２】
カム手段は、ガイド板のガイド部に対し係合状態そして離脱状態のいずれかにあって、係合状態時に第一ロッドからの押圧力を該カム手段としてのカム部材を介して第二ロッドへ伝達し、押込力解除の離脱状態時にカム部材はガイド板の板厚方向に変位してガイド部から離脱しガイド板の板面に沿ってカード抜出方向へ後退移動可能であることとする請求項１に記載のカード排出装置。
【請求項３】
ガイド板に形成されたガイド部はガイド溝であり、カム部材は係合部を有し、該係合部がガイド溝に係合することとする請求項２に記載のカード排出装置。
【請求項４】
ガイド溝板はフレームの案内面と所定間隔をもって位置し、該案内面とガイド板との間に、第一ロッド、第二ロッドそしてカム部材が配設されていることとする請求項２又は請求項３に記載のカード排出装置。
【請求項５】
カム部材は、該カム部材とフレームとの間に架設された付勢部材により、カード排出方向に付勢可能とされており、付勢部材は、カード排出方向、ガイド溝板の板面内でカム部材の係合部をカム溝から離脱させる方向、上記板面へ係合部を圧する方向の各方向の成分を併せもった方向に付勢力を生じていることとする請求項２又は請求項３に記載のカード排出装置。
【請求項６】
ガイド溝板は一つの金属板からフレームと一体に形成されていることとする請求項１ないし請求項５のうちの一つに記載のカード排出装置。
【請求項７】
ガイド溝は、直状溝部と鉤状溝部とを有し、直状溝部はカム部材の前後移動方向に直状に延びて形成され、鉤状溝部はカム部材の第二ロッド最大押込位置における該カム部材の係止部の位置にて上記直状溝部に連通して鉤状に形成されていることとする請求項３又は請求項４に記載のカード排出装置。
【請求項８】
カム部材は第一ロッドにより板厚方向に対し垂直方向に回動自在に支持されており、フレームあるいはガイド板は、カム部材との当接部を有し、カム部材が後退位置に移動した際に該カム部材と当接し、該カム部材に回動力を与えることとする請求項１、請求項２、請求項３、請求項４、請求項５、請求項７のうちの一つに記載のカード排出装置。
【請求項９】
第二ロッドは、後方に延びる被圧腕部と離脱力付与腕部とを有し、被圧腕部はその後端部がカム部材の係止部から押圧力を受ける受圧部を有し、離脱力付与腕部は第二ロッドの後退時にカム部材にカム溝からの離脱方向への力を与える傾斜部を有していることとする請求項２、請求項４、請求項７のうちの一つに記載のカード排出装置。
【請求項１０】
カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有しているカード排出装置において、フレームはカードの外面に弾圧接触するグランド接触片を有し、プッシュロッドはこのグランド接触片の弾性接触時の撓みを許容する窓部もしくは切欠部が形成されていることを特徴とするカード排出装置。
【請求項１１】
カードの側部にて該カードを挿抜可能に案内支持する支持部を有するフレームと、フレームの外壁面に形成された案内面に沿って往復動するプッシュロッドと、該プッシュロッドのカード挿入方向先端部からの押圧力を受けてカードを抜出方向に排出する排出レバー機構とを有し、上記プッシュロッドは、操作者からのカード排出のための前方への押込力を受ける第一ロッドと、該第一ロッドからの押込力を排出レバー機構へ伝達する第二ロッドとを備え、該第一ロッドと第二ロッドがカード排出時に連係するカード排出装置において、第一ロッドの前方にカム手段が設けられ、第二ロッドの後部には、後方に延びる第一腕部と第一腕部よりも短く延びる第二腕部が略平行に設けられ、第一ロッドが後退位置にあってはカム手段が第二ロッドの第一腕部に至近位置にあり、カードが挿入状態にある場合には、突出位置にある第一ロッドを前進させることで、第二ロッドの第一腕部が上記カム手段からの押圧力を受けて第二ロッドが前進してカードを後方へ駆出して抜出可能な状態とし、その後、カム手段は付勢部材からの付勢力により後退して掛止状態となり、カード挿入によって第二ロッドが後退している場合には、該第二ロッドの第二腕部がカム手段と至近位置にあり、第一ロッドを押圧することで上記カム手段が上記第二腕部と干渉しつつ上記掛止状態から外れて、第一ロッドが後方への上記付勢力によって後退して突出位置となることができ、カード挿入されておらずに第二ロッドが前進している場合には、該第二ロッドの第二腕部がカム手段と干渉しない前方位置にあり、第一ロッドを押圧してもカム手段と干渉せずに上記掛止が外れず、上記第一ロッドが突出位置にならないことを特徴とするカード排出装置。
【請求項１２】
第一ロッドを押圧することで上記カム手段はカードの側面に対して直角方向に変位して上記掛止状態が外れることとする請求項１１に記載のカード排出装置。
【請求項１３】
カム手段は第一ロッドと一体に形成されていることとする請求項１１に記載のカード排出装置。
【手続補正２】
【補正対象書類名】明細書
【補正対象項目名】００２３
【補正方法】変更
【補正の内容】
【００２３】
さらに、本発明では、フレームがカードの外面に弾圧接触するグランド接触片を有している場合、プッシュロッドはこのグランド接触片の弾性接触時の撓みを許容する窓部もしくは切欠部が形成されているようにすることが望ましい。
また、本発明は、第一ロッドの前方にカム手段が設けられ、第二ロッドの後部には、後方に延びる第一腕部と第一腕部よりも短く延びる第二腕部が略平行に設けられ、第一ロッドが後退位置にあってはカム手段が第二ロッドの第一腕部に至近位置にあり、カードが挿入状態にある場合には、突出位置にある第一ロッドを前進させることで、第二ロッドの第一腕部が上記カム手段からの押圧力を受けて第二ロッドが前進してカードを後方へ駆出して抜出可能な状態とし、その後、カム手段は付勢部材からの付勢力により後退して掛止状態となり、カード挿入によって第二ロッドが後退している場合には、該第二ロッドの第二腕部がカム手段と至近位置にあり、第一ロッドを押圧することで上記カム手段が上記第二腕部と干渉しつつ上記掛止状態から外れて、第一ロッドが後方への上記付勢力によって後退して突出位置となることができ、カード挿入されておらずに第二ロッドが前進している場合には、該第二ロッドの第二腕部がカム手段と干渉しない前方位置にあり、第一ロッドを押圧してもカム手段と干渉せずに上記掛止が外れず、上記第一ロッドが突出位置にならないことを特徴とすることもできる。
かかる特徴を有するカード排出装置において、第一ロッドを押圧することで上記カム手段はカードの側面に対して直角方向に変位して上記掛止状態が外れるようにすることができる。
又、カム手段は第一ロッドと一体に形成されているようにすることができる。